【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
電子機器から離れた一点に設けられて、電波を受信するアンテナと、
妨害波の波源方位を推定する波源方位推定装置と
を備え、
前記波源方位推定装置は、
前記アンテナによって受信された電磁界多成分の測定を行う測定部と、
前記測定部による測定値に対して、ＭＵＳＩＣ法による信号処理を行うことにより、妨害波の波源方位を推定する波源方位推定部と
を有する波源方位推定システム。
【請求項２】
前記波源方位推定部は、測定値に基づいてスペクトルマトリクスを作成して周波数とエネルギーとの関係を求め、スペクトルマトリクスから固有値と固有ベクトルとを計算し、計算した固有値と固有ベクトルとを用いて放射妨害波の波源数を導出し、最小固有値に対応する固有ベクトルを用いて評価関数を計算し、評価関数のピークを波源数の数だけとって、そのときの方位を求めることにより、放射妨害波の波源方位を推定する
請求項１に記載の波源方位推定システム。
【請求項３】
前記波源方位推定部は、自由空間を伝搬する平面電磁波のエネルギー密度に基づいて、前記放射妨害波の波源数を算出する
請求項１又は２に記載の波源方位推定システム。
【請求項４】
前記波源方位推定部は、前記放射妨害波の波源を波動分布関数として評価する
請求項１又は２に記載の波源方位推定システム。
【請求項５】
電子機器から離れた一点に設けられて、電波を受信するアンテナと、
妨害波の波源方位を推定する波源方位推定装置と
を備え、
前記波源方位推定装置は、
前記アンテナによって受信された電磁界多成分の測定を行う測定部と、
前記測定部による測定値に対して、波動分布関数のエントロピーを最大にする信号処理を行うことにより、妨害波の波源方位を推定する波源方位推定部と
を有する波源方位推定システム。
【請求項６】
前記波源方位推定部は、前記波動分布関数のエントロピーを最大にする解を、ラグランジュの未定乗数法により得る
請求項５に記載の波源方位推定システム。
【請求項７】
電子機器から離れた一点に設けられたアンテナによって受信された電磁界多成分の測定を行う測定段階と、
得られた測定値に対して、ＭＵＳＩＣ法による信号処理を行って、前記電子機器からの放射妨害波の波源方位を推定する信号処理段階と
を含む波源方位推定方法。
【請求項８】
電子機器から離れた一点に設けられたアンテナによって受信された電磁界多成分の測定を行う測定段階と、
得られた測定値に対して、波動分布関数のエントロピーを最大にする信号処理を行って、前記電子機器からの放射妨害波の波源方位を推定する信号処理段階と
を含む波源方位推定方法。
【請求項９】
コンピュータを、
電子機器から離れた一点に設けられたアンテナによって受信された電磁界多成分の測定を行う測定部、
前記測定部による測定値に対して、ＭＵＳＩＣ法による信号処理を行うことにより、妨害波の波源方位を推定する波源方位推定部
として機能させるプログラム。
【請求項１０】
コンピュータを、
電子機器から離れた一点に設けられたアンテナによって受信された電磁界多成分の測定を行う測定部、
前記測定部による測定値に対して、波動分布関数のエントロピーを最大にする信号処理を行うことにより、妨害波の波源方位を推定する波源方位推定部
として機能させるプログラム。
【手続補正２】
【補正対象書類名】明細書
【補正対象項目名】００１４
【補正方法】変更
【補正の内容】
【００１４】
上記課題を解決するために、本発明の第１の形態によると、波源方位推定システムであって、電子機器から離れた一点に設けられて、電波を受信するアンテナと、妨害波の波源方位を推定する波源方位推定装置とを備え、波源方位推定装置は、アンテナによって受信された電磁界多成分の測定を行う測定部と、測定部による測定値に対して、ＭＵＳＩＣ法による信号処理を行うことにより、妨害波の波源方位を推定する波源方位推定部とを有する。本発明の第２の形態によると、波源方位推定システムであって、電子機器から離れた一点に設けられて、電波を受信するアンテナと、妨害波の波源方位を推定する波源方位推定装置とを備え、波源方位推定装置は、アンテナによって受信された電磁界多成分の測定を行う測定部と、測定部による測定値に対して、波動分布関数のエントロピーを最大にする信号処理を行うことにより、妨害波の波源方位を推定する波源方位推定部とを有する。
【手続補正３】
【補正対象書類名】明細書
【補正対象項目名】００１５
【補正方法】変更
【補正の内容】
【００１５】
本発明の第３の形態によると、波源方位推定方法であって、電子機器から離れた一点に設けられたアンテナによって受信された電磁界多成分の測定を行う測定段階と、得られた測定値に対してＭＵＳＩＣ法による信号処理を行って、電子機器からの放射妨害波の波源方位を推定する信号処理段階とを含む。本発明の第４の形態によると、波源方位推定方法であって、電子機器から離れた一点に設けられたアンテナによって受信された電磁界多成分の測定を行う測定段階と、得られた測定値に対して、波動分布関数のエントロピーを最大にする信号処理を行って、電子機器からの放射妨害波の波源方位を推定する信号処理段階とを含む。
【手続補正４】
【補正対象書類名】明細書
【補正対象項目名】００１６
【補正方法】変更
【補正の内容】
【００１６】
本発明の第５の形態によると、プログラムであって、コンピュータを、電子機器から離れた一点に設けられたアンテナによって受信された電磁界多成分の測定を行う測定部、測定部による測定値に対してＭＵＳＩＣ法による信号処理を行うことにより、妨害波の波源方位を推定する波源方位推定部として機能させる。本発明の第６の形態によると、プログラムであって、コンピュータを、電子機器から離れた一点に設けられたアンテナによって受信された電磁界多成分の測定を行う測定部、測定部による測定値に対して、波動分布関数のエントロピーを最大にする信号処理を行うことにより、妨害波の波源方位を推定する波源方位推定部として機能させる。
【手続補正５】
【補正対象書類名】明細書
【補正対象項目名】００５７
【補正方法】変更
【補正の内容】
【００５７】
そしてさらに、本実施の形態の波源方位推定システム１００によれば、波源方位推定部１２２は、自由空間を伝搬する平面電磁波のエネルギー密度に基づいて、放射妨害波の波源数を算出する。従って、波源方位推定システム１００によれば、波源方位推定装置１２０は、高精度で電子機器ＥＤにおける放射妨害波の波源方位を推定できる。
【手続補正６】
【補正対象書類名】明細書
【補正対象項目名】００６５
【補正方法】変更
【補正の内容】
【００６５】
電界の３成分が測定された場合、積分方程式の個数は、Ｎ＝９となる。一般に、逆問題に対する解は無数に存在するが、その全てが物理的に意味のある解ではない。波動分布関数Ｆ（θ、φ）は、波数空間における波導エネルギーの分布を表しているので、滑らかで、至るところ正となる解を求める必要がある。「波動分布関数Ｆ（θ、φ）が未知である。」という状態は、高いエントロピーを持っているといえる。つまり、「波動分布関数Ｆ（θ、φ）を推定する」という作業は、この状態の持つ高いエントロピーを下げる作業であるといえる。従って、エントロピーは、最も効率よく下げられるような分布Ｆ（θ、φ）に推定される。すなわち、推定された分布Ｆ（θ、φ）は、最大となる分布を解として求められる。このようにして得られた解は、予測される最も「ありふれた」分布を表していると解釈できる。波動分布関数Ｆ（θ、φ）のエントロピーＨは、以下の式（１６）で与えられる。